(57)【要約】【課題】光コネクタを光トランシーバに装着した状態のままで光トランシーバをケージから抜き取ることができるラッチリリース機構を提供する。【解決手段】ケージ２に形成されたラッチ部３とケージ２に挿抜自在に設けられる光トランシーバ４に形成された被ラッチ部５とのラッチをリリースするラッチリリース部材６を備えたラッチリリース機構１であって、ラッチリリース部材６は、ラッチ部３と被ラッチ部５との間にスライド挿入されると共に被ラッチ部５からラッチ部３を離間させてラッチ部３と被ラッチ部５とのラッチをリリースするくさび部７を備えるものである。【選択図】図１
2015011173.tif 000002
【特許請求の範囲】
【請求項１】
ケージに形成されたラッチ部と前記ケージに挿抜自在に設けられる光トランシーバに形成された被ラッチ部とのラッチをリリースするラッチリリース部材を備えたラッチリリース機構であって、
前記ラッチリリース部材は、前記ラッチ部と前記被ラッチ部との間にスライド挿入されると共に前記被ラッチ部から前記ラッチ部を離間させて前記ラッチ部と前記被ラッチ部とのラッチをリリースするくさび部を備えることを特徴とするラッチリリース機構。
【請求項２】
前記ラッチリリース部材は、前記光トランシーバの外周形状に沿うリング状に形成されると共に前記光トランシーバの挿抜方向にスライド可能な基部を更に備える請求項１に記載のラッチリリース機構。
【請求項３】
前記ラッチリリース部材は、押圧により前記くさび部を前記ラッチ部と前記被ラッチ部との間にスライド挿入させるリリースハンドルを更に備える請求項１又は２に記載のラッチリリース機構。
【請求項４】
前記光トランシーバに固定され前記ケージから前記光トランシーバを引き抜くためのプルタブを更に備え、
前記プルタブは、前記ラッチリリース部材を前記光トランシーバの挿抜方向にスライド可能に収容するガイド部を備える請求項１に記載のラッチリリース機構。
【請求項５】
前記ラッチリリース部材は、押圧により前記くさび部を前記ラッチ部と前記被ラッチ部との間にスライド挿入させるリリースボタンを更に備える請求項４に記載のラッチリリース機構。
【請求項６】
前記プルタブは、指を挿入するための指挿入孔を更に備え、前記リリースボタンは前記指挿入孔内に配置される請求項５に記載のラッチリリース機構。
【発明の詳細な説明】
【技術分野】
【０００１】
本発明は、ケージと光トランシーバとのラッチをリリースするラッチリリース機構に関するものである。
【背景技術】
【０００２】
光トランシーバには、ＳＦＰ光トランシーバのように、ケージに挿入されたときケージのラッチ部にラッチされる被ラッチ部を有するタイプがある。また、このようなタイプの光トランシーバには、特許文献１に記載されるように、ラッチ解除機構を有するものがある。ラッチ解除機構は、レバーと、レバーと連動するリンクと、を備える。ラッチ解除機構は、レバーが回動されることによりリンクに設けられた被ラッチ部を光トランシーバ内に引っ込ませてラッチ部と被ラッチ部とのラッチをリリースするようになっている。
【先行技術文献】
【特許文献】
【０００３】
【特許文献１】特開２００７−３３５７２１号公報
【特許文献２】特開２０１１−１４１４７４号公報
【特許文献３】特開２００５−３１７５４０号公報
【発明の概要】
【発明が解決しようとする課題】
【０００４】
ところで、ケージに対する光トランシーバの挿入方向を前方としたとき、レバーは、光トランシーバの後端部に位置されており、回動時に光トランシーバの後端近傍を横断する操作部を有するものであるため、光トランシーバの後端部に光ファイバ先端の光コネクタが装着された状態では、レバーを回動させる際にレバーと光ファイバとが干渉し、ラッチをリリースできないという課題があった。
【０００５】
また、光コネクタを光トランシーバに装着した状態のままで光トランシーバをケージから抜き取りたいという要望がある。
【０００６】
そこで、本発明は、光コネクタを光トランシーバに装着した状態のままで光トランシーバをケージから抜き取ることができるラッチリリース機構を提供することを目的とする。
【課題を解決するための手段】
【０００７】
この目的を達成するために創案された本発明は、ケージに形成されたラッチ部と前記ケージに挿抜自在に設けられる光トランシーバに形成された被ラッチ部とのラッチをリリースするラッチリリース部材を備えたラッチリリース機構であって、前記ラッチリリース部材は、前記ラッチ部と前記被ラッチ部との間にスライド挿入されると共に前記被ラッチ部から前記ラッチ部を離間させて前記ラッチ部と前記被ラッチ部とのラッチをリリースするくさび部を備えるラッチリリース機構である。
【０００８】
前記ラッチリリース部材は、前記光トランシーバの外周形状に沿うリング状に形成されると共に前記光トランシーバの挿抜方向にスライド可能な基部を更に備えるとよい。
【０００９】
前記ラッチリリース部材は、押圧により前記くさび部を前記ラッチ部と前記被ラッチ部との間にスライド挿入させるリリースハンドルを更に備えるとよい。
【００１０】
前記光トランシーバに固定され前記ケージから前記光トランシーバを引き抜くためのプルタブを更に備え、前記プルタブは、前記ラッチリリース部材を前記光トランシーバの挿抜方向にスライド可能に収容するガイド部を備えるとよい。
【００１１】
前記ラッチリリース部材は、押圧により前記くさび部を前記ラッチ部と前記被ラッチ部との間にスライド挿入させるリリースボタンを更に備えるとよい。
【００１２】
前記プルタブは、指を挿入するための指挿入孔を更に備え、前記リリースボタンは前記指挿入孔内に配置されるとよい。
【発明の効果】
【００１３】
本発明によれば、光コネクタを光トランシーバに装着した状態のままで光トランシーバをケージから抜き取ることができるラッチリリース機構を提供できる。
【図面の簡単な説明】
【００１４】
【図１】本発明に係るラッチリリース機構の説明図であり、（ａ）はラッチ時の側面図、（ｂ）はラッチ時の底面図、（ｃ）は（ａ）のＡ−Ａ線矢視図である。
【図２】本発明に係るラッチリリース機構の説明図であり、（ａ）はラッチ解除時の側面図、（ｂ）はラッチ解除時の底面図である。
【図３】本発明に係る他の形態のラッチリリース機構の説明図であり、（ａ）はラッチ時の側面図、（ｂ）はラッチ時の底面図である。
【図４】本発明に係る他の形態のラッチリリース機構の説明図であり、（ａ）はラッチ解除時の側面図、（ｂ）はラッチ解除時の底面図である。
【図５】本発明に係るさらに他の形態のラッチリリース機構の説明図であり、（ａ）はラッチ時の側面図、（ｂ）はラッチ時の底面図、（ｃ）は（ａ）のＢ−Ｂ線矢視断面図である。
【図６】本発明に係るさらに他の形態のラッチリリース機構の説明図であり、（ａ）はラッチ解除時の側面図、（ｂ）はラッチ解除時の底面図である。
【発明を実施するための形態】
【００１５】
以下、本発明の好適な実施の形態を添付図面にしたがって説明する。
【００１６】
図１（ａ）及び図１（ｂ）に示すように、本実施の形態に係るラッチリリース機構１は、ケージ２に形成されたラッチ部３とケージ２に挿抜自在に設けられる光トランシーバ４に形成された被ラッチ部５とのラッチをリリースするラッチリリース部材６を備えたラッチリリース機構１であって、ラッチリリース部材６は、ラッチ部３と被ラッチ部５との間にスライド挿入されると共に被ラッチ部５からラッチ部３を離間させてラッチ部３と被ラッチ部５とのラッチをリリースするくさび部７を備えることを特徴とする。
【００１７】
ケージ２は、スモールフォームファクタープラガブル（Small Form-factor Pluggable：ＳＦＰ）ケージからなる。ケージ２は、断面矩形の有底筒体状に形成されている。ケージ２は、後述する光トランシーバ４の挿抜方向に長く形成されている。ケージ２は、長手方向の両端のうちの一端が塞がれ、他端が解放されている。ケージ２の他端には、光トランシーバ４を挿抜するための挿入口８が形成されている。また、ケージ２は電気回路が形成された基板（図示せず）上に取り付けられる。ケージ２は、長手方向に延びる四面のうちの一面が基板上に重ね合わされる取付面９となっている。また、光トランシーバ４が挿入される挿入口８に臨む取付面９には、ラッチ部３が形成されている。ラッチ部３は、取付面９に形成された舌片１０と、舌片１０に形成されたラッチ穴１１と、からなる。取付面９には、挿入口８から光トランシーバ４の挿入方向に延びるスリット１２が一対平行に形成されており、舌片１０は、スリット１２間に形成されている。舌片１０は、可撓性を有し、先端が挿入口８の外方に押されることで撓んでケージ２内の光トランシーバ４から離間するようになっている。ラッチ穴１１は、後述する光トランシーバ４の被ラッチ部５の突起１３を挿入させるようになっている。ラッチ穴１１は、二等辺三角形状に形成されており、二等辺三角形の底辺１４が先端側（挿入口側）に位置されると共に光トランシーバ４の挿抜方向と直交するように配置されている。
【００１８】
光トランシーバ４は、スモールフォームファクタープラガブル光トランシーバからなる。光トランシーバ４は、挿抜方向に長い箱状に形成されている。ケージ２に対する光トランシーバ４の挿入側の端には、基板と電気的に接続される電気接続部（図示せず）が形成されており、光トランシーバ４の抜き取り側の端には、ＬＣコネクタ等の光コネクタ１５が接続される光接続部１６が形成されている。また、光トランシーバ４の抜き取り側の端部には、ラッチ部３とラッチされる被ラッチ部５が設けられると共に、ラッチ解除機構１７が設けられている。被ラッチ部５は、光トランシーバ４の取付面９から突出する突起１３と、光トランシーバ４がケージ２内に挿入されているときラッチ部３の舌片１０と当接する光トランシーバ４の外周面１８と、からなる。突起１３は、ラッチ部３と嵌合するように三角形状に形成されている。ラッチ解除機構１７は、背景技術で述べたものと同様のものであり、光コネクタ１５が光トランシーバ４から抜かれたときにのみ機能する。
【００１９】
図１（ｃ）に示すように、ラッチリリース部材６は、光トランシーバ４の外周形状に沿うリング状に形成されると共に光トランシーバ４の挿抜方向にスライド可能な基部１９を更に備える。
【００２０】
具体的には、基部１９は、矩形のリング状に形成されており、内周面２０が光トランシーバ４の外周面１８に摺接するようになっている。
【００２１】
図１（ａ）及び図１（ｂ）に示すように、被ラッチ部５の突出方向側の基部１９には、くさび部７が一体に設けられる。くさび部７は、基部１９から光トランシーバ４の挿入方向に延びる。くさび部７の先端部には、光トランシーバ４の外周面１８に摺接する摺接部２１が形成されると共に、舌片１０と当接するテーパ面２２が形成されている。テーパ面２２は、くさび部７の先端から基端方向に向かうにつれて光トランシーバ４から離間するように傾斜されている。
【００２２】
また、ラッチリリース部材６は、押圧によりくさび部７をラッチ部３と被ラッチ部５との間にスライド挿入させるリリースハンドル２３を更に備える。
【００２３】
リリースハンドル２３は、被ラッチ部５の突出方向とは反対側の基部１９に設けられる。リリースハンドル２３は、基部１９から外周方向に延びると共に、光トランシーバ４の抜き取り方向に延びる。これにより、光トランシーバ４から離れた位置でラッチリリース機構１を操作でき、他のレバーなどが誤操作されるのを防ぐことができる。なお、リリースハンドル２３は、基部１９から外周方向に延びるものであればよく、ケージ２の姿勢、設置高さに応じて取り扱いが容易な方向に延びるとよい。例えば、ケージ２が作業者の目線より下方に設置される場合、リリースハンドル２３は上方に延びるとよく、ケージ２が作業者の目線より上方に設置される場合、リリースハンドル２３は下方に延びるとよい。
【００２４】
次に本実施の形態の作用を述べる。
【００２５】
図２（ａ）及び図２（ｂ）に示すように、ケージ２から光トランシーバ４を引き抜く場合、まずラッチリリース機構１を用いてラッチ部３と被ラッチ部５とのラッチをリリースする。
【００２６】
具体的には、ラッチリリース機構１のリリースハンドル２３を光トランシーバ４の挿入方向に押し込む。これにより、基部１９は、光トランシーバ４の外周面１８に沿って光トランシーバ４の挿入方向にスライド移動する。くさび部７は、ラッチ部３と被ラッチ部５との間にスライド挿入される。ラッチ部３は、くさび部７のテーパ面２２に押され、光トランシーバ４から離間するように撓む。この後、被ラッチ部５の突起１３とラッチ部３のラッチ穴１１との嵌合が外れることにより、ラッチ部３と被ラッチ部５とのラッチがリリースされる。このとき、ラッチリリース機構１は、光トランシーバ４の挿入方向にスライド移動するため、光コネクタ１５が干渉することはなく、光トランシーバ４に光コネクタ１５が接続された状態であっても容易にラッチをリリースできる。
【００２７】
この後、光トランシーバ４を引くことでケージ２から光トランシーバ４を引き抜くことができる。
【００２８】
このように、ラッチリリース機構１が、ケージ２に形成されたラッチ部３とケージ２に挿抜自在に設けられる光トランシーバ４に形成された被ラッチ部５とのラッチをリリースするラッチリリース部材６を備えたラッチリリース機構１であって、ラッチリリース部材６は、ラッチ部３と被ラッチ部５との間にスライド挿入されると共に被ラッチ部５からラッチ部３を離間させてラッチ部３と被ラッチ部５とのラッチをリリースするくさび部７を備えるものとしたため、光コネクタ１５を光トランシーバ４に装着した状態のままであっても光トランシーバ４をケージ２から抜き取ることができる。
【００２９】
また、ラッチリリース部材６は、光トランシーバ４の外周形状に沿うリング状に形成されると共に光トランシーバ４の挿抜方向にスライド可能な基部１９を更に備えるものとしたため、簡易な構造で光トランシーバ４に挿抜方向にスライド可能に取り付けることができる。また、既存の光トランシーバ４に対しても容易に取り付けることができる。
【００３０】
ラッチリリース部材６は、押圧によりくさび部７をラッチ部３と被ラッチ部５との間にスライド挿入させるリリースハンドル２３を更に備えるものとしたため、くさび部７をラッチ部３と被ラッチ部５との間に容易にスライド挿入させることができる。
【００３１】
なお、リリースハンドル２３は、基部１９から外周方向に延びるものとしたが、これに限るものではない。図３（ａ）及び図３（ｂ）に示すように、リリースハンドル３０は、基部１９から光トランシーバ４の抜き取り方向に延びるものとしてもよい。
【００３２】
リリースハンドル３０は、被ラッチ部５の突出方向側の基部１９に設けられ光トランシーバ４の抜き取り方向に延びるロッド部３１と、基部１９とは反対側のロッド部３１の端部に設けられたリング部３２と、を備えるとよい。リング部３２は、指を挿入してリリースハンドル３０を操作するためのものである。リング部３２は、内径寸法が指を挿入できる程度に形成されているとよい。すなわち、リング部３２は、指を挿入するための指挿入孔３３を有するとよい。リング部３２は、光トランシーバ４よりも抜き取り側に配置されるとよい。光トランシーバ４が操作の邪魔になるのを防ぐことができる。更に好ましくは、リング部３２は、光トランシーバ４に接続された光コネクタ１５よりも抜き取り側に配置されるとよい。光トランシーバ４と光コネクタ１５とが操作の邪魔になるのを防ぐことができる。
【００３３】
図４（ａ）及び図４（ｂ）に示すように、ラッチ部３と被ラッチ部５とのラッチをリリースする場合、リリースハンドル３０の指挿入孔３３に指を入れ、リリースハンドル３０を光コネクタ１５の挿入方向に押す。これにより、くさび部７は、ラッチ部３と被ラッチ部５との間にスライド挿入され、ラッチ部３と被ラッチ部５とのラッチがリリースされる。
【００３４】
リリースハンドル３０は光トランシーバ４から離間されているため、ラッチ部３と被ラッチ部５とのラッチを容易にリリースできる。
【００３５】
他の実施の形態について述べる。なお、上述と同様の構成については説明を省き、同符号を付す。
【００３６】
図５（ａ）及び図５（ｂ）に示すように、ラッチリリース機構４０は、ラッチ部３と被ラッチ部５とのラッチをリリースするためのラッチリリース部材４１と、光トランシーバ４に固定されケージ２から光トランシーバ４を引き抜くためのプルタブ４２と、を備え、プルタブ４２は、ラッチリリース部材４１を光トランシーバ４の挿抜方向にスライド可能に収容するガイド部４３を備えることを特徴とする。
【００３７】
プルタブ４２は、光トランシーバ４の外周に固定される固定部４４と、被ラッチ部５の突出方向側の固定部４４に設けられ光トランシーバ４の抜き取り方向に延びるロッド部４５と、固定部４４とは反対側のロッド部４５に設けられたリング部４６と、を備える。固定部４４は、光トランシーバ４の外周形状に沿うリング状に形成されている。リング部４６は、指を挿入してプルタブ４２を操作するためのものである。リング部４６は、内径寸法が指を挿入できる程度に形成されている。すなわち、リング部４６は、指を挿入するための指挿入孔４７を有する。リング部４６は、光トランシーバ４に接続された光コネクタ１５よりも抜き取り側に配置されており、光トランシーバ４や光コネクタ１５が操作の邪魔にならないようになっている。なお、光トランシーバ４から延出する光コネクタ１５が小さい場合等、光コネクタ１５が操作の邪魔にならない場合、リング部４６は、光トランシーバ４よりも抜き取り側に配置されていればよい。
【００３８】
図５（ｂ）及び図５（ｃ）に示すように、ガイド部４３は、光トランシーバ４の挿抜方向に延びる孔からなる。ガイド部４３は、固定部４４、ロッド部４５及びリング部４６に形成されている。
【００３９】
ラッチリリース部材４１は、くさび部７と、くさび部７に設けられ光トランシーバ４の抜き取り方向に延びるロッド状の被ガイド部４８と、くさび部７とは反対側の被ガイド部４８の端部に設けられたリリースボタン４９と、を備える。被ガイド部４８は、両端がガイド部４３から延出するようにガイド部４３内にスライド可能に収容される。リリースボタン４９は、指挿入孔４７内に配置されており、ラッチリリース作業を行う作業者の指が指挿入孔４７内に挿入されることで光トランシーバ４の挿入方向に押されるようになっている。
【００４０】
本実施の形態の作用を述べる。
【００４１】
図６（ａ）及び図６（ｂ）に示すように、ケージ２から光トランシーバ４を引き抜く場合、リング部４６の指挿入孔４７に指を入れる。これにより、リリースボタン４９が押され、くさび部７がラッチ部３と被ラッチ部５との間にスライド挿入され、ラッチ部３と被ラッチ部５とのラッチがリリースされる。
【００４２】
リング部４６は光トランシーバ４に接続された光コネクタ１５から離間されているため、指挿入孔４７に指を入れるとき、光トランシーバ４や光コネクタ１５が邪魔になることはない。
【００４３】
この後、リング部４６を光トランシーバ４の抜き取り方向に引く。指挿入孔４７内に指があることでリリースボタン４９は押し続けられるため、特にリリースボタン４９の操作を意識する必要はない。指挿入孔４７内に指を入れた状態のままリング部４６を引くだけで安定してケージ２から光トランシーバ４を引き抜くことができる。
【００４４】
このように、光トランシーバ４に固定されケージ２から光トランシーバ４を引き抜くためのプルタブ４２を更に備え、プルタブ４２は、ラッチリリース部材４１を光トランシーバ４の挿抜方向にスライド可能に収容するガイド部４３を備えるものとしたため、ケージ２から光トランシーバ４を更に容易に引き抜くことができる。
【００４５】
プルタブ４２は、指を挿入するための指挿入孔４７を更に備え、リリースボタン４９は指挿入孔４７内に配置されるものとしたため、指挿入孔４７内に指を入れ、引くという極めて簡単な操作でケージ２から光トランシーバ４を引き抜くことができる。また、指挿入孔４７内に指がある間はくさび部７の押圧力が緩むことがないため、ケージ２から光トランシーバ４を引き抜いている最中にラッチ部３と被ラッチ部５とが誤って再びラッチされる虞がなく、ケージ２から光トランシーバ４を安定して引き抜くことができる。
【符号の説明】
【００４６】
１  ラッチリリース機構
２  ケージ
３  ラッチ部
４  光トランシーバ
５  被ラッチ部
６  ラッチリリース部材
７  くさび部
１９  基部
２３  リリースハンドル
３０  リリースハンドル
４０  ラッチリリース機構
４１  ラッチリリース部材
４２  プルタブ
４３  ガイド部
４７  指挿入孔
４９  リリースボタン
【図１】
2015011173.tif 000003
【図２】
2015011173.tif 000004
【図３】
2015011173.tif 000005
【図４】
2015011173.tif 000006
【図５】
2015011173.tif 000007
【図６】
2015011173.tif 000008